(57)【要約】【課題】所定の輝度を確保しやすい光源ユニット及びこれを備えた表示装置を提供する。【解決手段】光源ユニット１は、発光ダイオード２と、発光ダイオード２が実装された基板３と、棒状の導光部材４と、導光部材４を収容するケース５と、ケース５に取り付けられ、ケース５との間で基板３を挟み込んで保持する保持部材６と、を備える。導光部材４は、発光ダイオード２から出射した光が入射する入射面４０と、入射面４０に入射した光が出射する出射面４１とを有する。基板３は、ケース５と保持部材６によって覆われる部分３０を含む。部分３０には、発光ダイオード２に供給される電力を調整する電子部品７が実装されている。【選択図】図１
2020035724.tif 000002
【特許請求の範囲】
【請求項１】
発光ダイオードと、
前記発光ダイオードが実装された基板と、
前記発光ダイオードから出射した光が入射する入射面と、前記入射面に入射した前記光が出射する出射面とを有する棒状の導光部材と、
前記導光部材を収容するケースと、
前記ケースに取り付けられ、前記ケースとの間で前記基板を挟み込んで保持する保持部材と、を備え、
前記基板は、前記ケースと前記保持部材によって覆われる部分を含み、
前記部分には、前記発光ダイオードに供給される電力を調整する電子部品が実装されている、
光源ユニット。
【請求項２】
前記基板は、前記ケースと前記保持部材によって覆われない第二部分を更に含み、
前記第二部分には、前記電子部品と前記発光ダイオードに電気的に接続された電源用の端子が実装されている、
請求項１の光源ユニット。
【請求項３】
前記部分は、前記ケースによって覆われる第一面と、前記第一面の反対側を向き、前記保持部材によって覆われる第二面と、を含み、
前記第一面に、前記発光ダイオードと前記電子部品とが実装されている、
請求項１または２の光源ユニット。
【請求項４】
前記発光ダイオードの前記第一面からの高さは、前記電子部品の前記第一面からの高さよりも高い、
請求項３の光源ユニット。
【請求項５】
前記第二面に接し、前記保持部材に保持される放熱板を更に備える、
請求項３または４の光源ユニット。
【請求項６】
請求項１から５のいずれかの光源ユニットと、
前記光源ユニットから出射した光が入射する入射面と、前記入射面に入射した前記光を出射する出射面とを有する導光板と、
透光性を有し、かつ前記導光板の前記出射面に対向して位置する表示パネルと、を備える、
表示装置。
【発明の詳細な説明】
【技術分野】
【０００１】
本開示は、光源ユニット及びこれを備えた表示装置に関する。
【背景技術】
【０００２】
従来、非常照明灯の光源としての利用も可能な光源装置が知られている（例えば特許文献１参照）。
【０００３】
特許文献１に記載の光源装置は、発光ダイオードと、発光ダイオードから出射された光を導光して線状に発光する線状導光体と、線状導光体から出射された線状の光を導光して面状に発光する面状導光板と、を備える。
【先行技術文献】
【特許文献】
【０００４】
【特許文献１】特開２００４−３４９０３０号公報
【発明の概要】
【発明が解決しようとする課題】
【０００５】
ところで、特許文献１に記載の光源装置を、非常照明灯の光源として用いる場合、非常照明灯の輝度が所定の範囲に収まるように、発光ダイオードの発光効率に対応した大きさの電力を、光源装置に供給する必要がある。そのため、特許文献１に記載の光源装置は、所定の大きさの電力を供給する電源装置との組み合わせが必須であり、汎用性の面で改善の余地がある。
【０００６】
上記事情に鑑みて、本開示は、所定の輝度を確保しやすい光源ユニット及びこれを備えた表示装置を提供することを、目的とする。
【課題を解決するための手段】
【０００７】
本開示に係る一態様の光源ユニットは、発光ダイオードと、前記発光ダイオードが実装された基板と、棒状の導光部材と、前記導光部材を収容するケースと、前記ケースに取り付けられ、前記ケースとの間で前記基板を挟み込んで保持する保持部材と、を備える。前記導光部材は、前記発光ダイオードから出射した光が入射する入射面と、前記入射面に入射した前記光が出射する出射面とを有する。前記基板は、前記ケースと前記保持部材によって覆われる部分を含む。前記部分には、前記発光ダイオードに供給される電力を調整する電子部品が実装されている。
【０００８】
また、本開示に係る一態様の表示装置は、前記光源ユニットと、導光板と、表示パネルと、を備える。前記導光板は、前記光源ユニットから出射した光が入射する入射面と、前記入射面に入射した前記光を出射する出射面とを有する。前記表示パネルは、透光性を有し、かつ前記導光板の前記出射面に対向して位置する。
【発明の効果】
【０００９】
本開示は、所定の輝度を確保しやすい光源ユニット及びこれを備えた表示装置を提供することができる。
【図面の簡単な説明】
【００１０】
【図１】図１Ａは、本開示に係る一実施形態の光源ユニットを示す分解斜視図であり、図１Ｂは、図１ＡのＷ部分の拡大図であり、図１Ｃは、図１ＡのＸ部分の拡大図である。
【図２】図２Ａは、同上の光源ユニットを示す斜視図であり、図２Ｂは、同上の光源ユニットを示す正面断面図である。
【図３】図３は、図２ＢのＹ部分の拡大図である。
【図４】図４は、同上の光源ユニットを備える表示装置の一例を示す分解斜視図である。
【図５】図５Ａは、同上の表示装置の一例を示す斜視図であり、図５Ｂは、図５ＡのＺ−Ｚ線における断面図である。
【図６】図６Ａは、同上の光源ユニットの変形例の要部を示す分解斜視図であり、図６Ｂは、同上の光源ユニットの変形例の要部を示す正面断面図である。
【発明を実施するための形態】
【００１１】
（光源ユニット）
（１）概要
図１ＡからＣ及び図２Ａ，Ｂに示すように、一実施形態の光源ユニット１は、発光ダイオード２と、発光ダイオード２が実装された基板３と、棒状の導光部材４と、導光部材４を収容するケース５と、保持部材６と、を備える。
【００１２】
導光部材４は、発光ダイオード２から出射した光が入射する入射面４０と、入射面４０に入射した光が出射する出射面４１とを有する。保持部材６は、ケース５に取り付けられ、基板３をケース５との間に挟んで保持する。基板３は、ケース５と保持部材６によって覆われる部分３０を含む。部分３０には、発光ダイオード２に供給される電力を調整する電子部品７が実装されている。
【００１３】
一実施形態の光源ユニット１では、基板３が外部の電源装置に電気的に接続された状態で、発光ダイオード２に供給される電力を電子部品７によって調整することができる。そのため、一実施形態の光源ユニット１では、発光ダイオード２の発光効率に対応した大きさの電力を発光ダイオード２に供給することができ、出射面４１から出射される光の輝度を所望の輝度とすることができる。これにより、一実施形態の光源ユニット１は、例えば、図４に示すような誘導灯の光源として用いた場合に、誘導灯に必要な所定の輝度を確保しやすい。
【００１４】
（２）詳細
以下、光源ユニット１について更に詳しく説明する。以下の説明では、図１Ａに示す方向を用いて、各構成について説明する。
【００１５】
（２−１）基板
図１Ａ及び図２Ａ，Ｂに示すように、光源ユニット１は、左右一対の基板３を備える。基板３は、ケース５と保持部材６によって覆われる部分３０と、ケース５と保持部材６によって覆われない第二部分３１とを有する。第二部分３１は、部分３０よりも後側に位置し、かつ部分３０よりも上下方向の長さが短い。
【００１６】
図３に示すように、部分３０は、ケース５によって覆われる第一面３００と、第一面３００の反対側を向き、かつ保持部材６によって覆われる第二面３０１と、を含む。第一面３００は、ケース５の長手方向の端面（左端面または右端面）に接する外周部分３００ａと、その内側に位置する内部分３００ｂとを含む。内部分３００ｂに、発光ダイオード２と電子部品７が実装されている。
【００１７】
図１Ｂに示すように、第二部分３１のうち、第一面３００と同じ方向を向く面３１０の後端部に、電源用の端子８が複数（２極以上）実装されている。
【００１８】
発光ダイオード２、電子部品７、及び電源用の端子８のそれぞれは、例えば、リフローはんだ付けによって、基板３の一表面に実装される。
【００１９】
本実施形態では、基板３は、ガラスエポキシ基板等のガラス系の基板であるが、紙フェノール基板等の紙系の基板であってもよい。
【００２０】
（２−２）導光部材
図１Ａ及び図２Ｂに示すように、導光部材４は、長手方向の両端面が入射面４０であり、下面が出射面４１である。
【００２１】
本実施形態では、導光部材４は、左右一対の第一導光体４２と、その下側に位置する第二導光体４３とで構成されている。導光体４２，４３のそれぞれは、透明なアクリル樹脂で形成される。導光体４２，４３は、前後方向の長さが互いに同じである。
【００２２】
左右一対の第一導光体４２は、互いに左右対称である。左側の第一導光体４２は、左右方向に長尺な棒状であり、右側の部分ほど上下方向の長さが短く、右端が尖っている。左側の第一導光体４２では、その左端面４２０が入射面４０である。左側の第一導光体４２は、上面４２１が右側の部分ほど下方に位置するように傾斜した傾斜面であり、下面４２２が平面であり、上面４２１と下面４２２とが、右端部において鋭角をなしている。
【００２３】
右側の第一導光体４２は、左右方向に長尺な棒状であり、左側の部分ほど上下方向の長さが短く、左端が尖っている。右側の第一導光体４２では、その右端面４２３が入射面４０である。右側の第一導光体４２は、上面４２１が左側の部分ほど下方に位置するように傾斜した傾斜面であり、下面４２２が平面であり、上面４２１と下面４２２とが、左端部において鋭角をなしている。
【００２４】
左側の第一導光体４２の上面４２１の左端部と、右側の第一導光体４２の上面４２１の右端部のそれぞれには、ケース５に対する位置決めに用いられる突起４２４が設けられている。
【００２５】
第二導光体４３は、左右方向に長尺な棒状であり、左右方向にわたって上下方向の長さが略一定である。第二導光体４３は、第一導光体４２のおよそ２倍の左右長さを有する。
【００２６】
第二導光体４３は、上面４３０と下面４３１とが互いに平行である。下面４３１が、出射面４１である。第二導光体４３は、左右の端面に、左右方向外側に突出した取付用の突起４３２を有する。
【００２７】
一対の第一導光体４２と第二導光体４３とは、第二導光体４３の上面４３０の左半部に左側の第一導光体４２の下面４２２が接し、かつ第二導光体４３の上面４３０の右半部に右側の第一導光体４２の下面４２２が接するように、上下に重ね合わされる。
【００２８】
導光部材４では、左右の第一導光体４２の入射面４０に入射した光が、左右の第一導光体４２内と第二導光体４３内を導光されて、第二導光体４３の出射面４１の全体から出射される。
【００２９】
（２−３）ケース
ケース５は、左右方向に長尺な箱状であり、左右の端面と下面のそれぞれに開口５８，５９を有している。ケース５は、合成樹脂で形成され、透光性を有さない。
【００３０】
ケース５は、上壁５０と、上壁５０の前端と一体の前壁５１と、上壁５０の後端と一体の後壁５２と、上壁５０の左右端と一体の一対の矩形枠状の側壁５３と、一対の側壁５３のそれぞれから左右方向外側に突出した４つの保持片５４と、を有する。
【００３１】
上壁５０は、右側の部分ほど下方に位置するように湾曲した第一壁部５００と、第一壁部５００の右端に連続し、右側の部分ほど上方に位置するように湾曲した第二壁部５０１と、を含む。第一壁部５００の左端部の下面と、第二壁部５０１の右端部の下面のそれぞれには、導光部材４の位置決めに用いる凹部５０２（図３参照）が設けられている。
【００３２】
前壁５１と後壁５２は、互いに平行であり、導光部材４の前後方向の長さと同じ距離だけ前後に離れて位置する。
【００３３】
保持片５４は、各側壁５３の４隅から左右方向外側に突出している（図１Ｃ参照）。基板３は、部分３０の４隅が４つの保持片５４によって保持されることで、上下方向及び前後方向の位置ずれが規制される。
【００３４】
図３に示すように、一対の側壁５３のそれぞれは、上側の枠部分５３０の下端から左右方向内側の下方に向けて突出した上傾斜壁５５と、下側の枠部分５３１の上端から左右方向内側の上方に向けて突出した下傾斜壁５６とを更に有する。下傾斜壁５６の左右方向内側の端部からは、左右方向内側に延長壁５７が突出している。
【００３５】
一対の側壁５３のそれぞれは、上側の枠部分５３０が上傾斜壁５５を介して上壁５０に連続している。図１Ｃに示すように、一対の側壁５３のそれぞれは、前側の枠部分５３２が前壁５１に連続し、後側の枠部分５３３が後壁５２に連続している。
【００３６】
一対の側壁５３のそれぞれは、左右方向に貫通した開口５８を有する。開口５８は、上傾斜壁５５と、下傾斜壁５６と左右の枠部分５３２，５３３で囲まれた部分である。
【００３７】
ケース５は、前壁５１の下端部と後壁５２の下端部と一対の側壁５３の下端部（下側の枠部分５３１）とで囲まれる開口５９を有する。
【００３８】
ケース５には、図２Ｂに示すように、導光部材４が収容される。左右一対の第一導光体４２のそれぞれは、突起４２４を上壁５０の左右一対の凹部５０２に挿入することで、左右方向の位置ずれが規制される。第二導光体４３は、ケース５に取り付けた保持部材６によって突起４３２が保持されることで、ケース５内に位置決めされ、ケース５の開口５９を塞ぐ。
【００３９】
ケース５内に導光部材４を収容した状態で、導光部材４の左右の入射面４０が左右の開口５８に対向して位置し、導光部材４の出射面４１が、下側に露出する。
【００４０】
（２−４）保持部材
保持部材６は、ケース５に取り付けられ、ケース５との間で基板３を挟んで保持する部材である。本実施形態では、光源ユニット１は、保持部材６を左右一対に備える。
【００４１】
図１Ｂに示すように、保持部材６は、平板部６０と、平板部６０の上下の端部から左右方向内側に突出した一対の取付片６１と、平板部６０の上下の端部から左右方向内側に突出した一対の保持片６２と、を有する。
【００４２】
一対の取付片６１のそれぞれの先端部（左右方向内側の端部）には、ケース５の側壁５３の上下の枠部分５３０，５３１に引掛けるための爪部６１０が設けられている。
【００４３】
一対の保持片６２のそれぞれは、平板部６０の前後方向の中央部から左右方向内側に突出しており、一対の取付片６１のうちの対応する取付片６１と連続している。一対の保持片６２の先端面（左右方向内側の面）は、平面であり、この面が基板３を保持する保持面である。
【００４４】
保持部材６は、図３に示すように、ケース５の側壁５３の上下の枠部分５３０，５３１に一対の取付片６１の爪部６１０を引っ掛けることで、ケース５に取り付けられる。保持部材６は、ケース５に保持された基板３の部分３０の第二面３０１に一対の保持片６２が接することで、基板３をケース５との間に挟んで保持する。
【００４５】
ケース５に一対の保持部材６を取り付けた状態で、一対の保持部材６の下側の取付片６１の爪部６１０によって導光部材４の第二導光体４３の左右の突起４３２が下側から支持される。これにより、ケース５内に導光部材４が位置決めされる。
【００４６】
（２−５）電子部品
電子部品７は、発光ダイオード２に供給される電力を調整する部品である。電子部品７としては、発光ダイオード２の発光効率に対応したものが用いられる。電子部品７は、チップ抵抗、ツェナーダイオード等である。
【００４７】
本実施形態では、基板３の部分３０の第一面３００の内部分３００ｂに、電子部品７が実装されている。電子部品７は、発光ダイオード２に隣接する位置に配置され、ケース５の上傾斜壁５５や下傾斜壁５６に接触しない。
【００４８】
電子部品７の第一面３００からの高さは、発光ダイオード２の第一面３００からの高さよりも低い。これにより、発光ダイオード２の光の出射範囲内に、電子部品７が位置することが抑制される。
【００４９】
（３）光源ユニットの組み立て方法
続いて、上述した各構成を組み合わせて、光源ユニット１を製造する方法の一例について説明する。
【００５０】
まず、ケース５の下側の開口５９から、ケース５内に、左右一対の第一導光体４２と第二導光体４３を挿入する。左右一対の第一導光体４２のそれぞれは、突起４２４をケース５の凹部５０２に挿入することで、左右方向の位置ずれが規制される。
【００５１】
次いで、ケース５の左右の側壁５３のそれぞれに、基板３の部分３０の外周部分３００aを当て、基板３をケース５の４つの保持片５４で支持する。
【００５２】
次いで、ケース５の左右の側壁５３のそれぞれに、保持部材６を取り付ける。保持部材６をケース５に取り付けることで、保持部材６の保持片６２とケース５の側壁５３とで基板３の部分３０が挟まれて保持される。またこのとき、左右の保持部材６の下側の取付片６１の爪部６１０によって、導光部材４の第二導光体４３の左右の突起４３２が下側から支持され、これにより、導光部材４がケース５内に位置決めされる。
【００５３】
基板３の部分３０がケース５と保持部材６とで挟まれて保持された状態で、発光ダイオード２と電子部品７は、側壁５３の開口５８内に収まる。これにより、発光ダイオード２及び電子部品７は、ケース５に覆われて保護される。
【００５４】
基板３の部分３０がケース５と保持部材６とで挟まれて保持された状態で、基板３の第二部分３１は、ケース５よりも外側（後側）に位置して露出する。これにより、第二部分３１に実装された電源用の端子８が、外部の電源装置に対して機械的かつ電気的に接続しやすい。
【００５５】
（４）光源ユニットの作用効果
以上説明した光源ユニット１は、基板３の電源用の端子８を、外部の電源装置に電気的に接続したときに、発光ダイオード２に供給される電力を電子部品７によって調整することができる。
【００５６】
そのため、光源ユニット１では、発光ダイオード２の発光効率に対応した大きさの電力を発光ダイオード２に供給することができ、導光部材４の出射面４１から出射される光の輝度を、所望の輝度とすることができる。
【００５７】
また、光源ユニット１では、電子部品７が発光ダイオード２と共にケース５の側端部の開口５８内に収まるため、電子部品７に外的な負荷がかかって故障することを抑制することができる。
【００５８】
また、光源ユニット１では、電子部品７の第一面３００からの高さが発光ダイオード２の第一面３００からの高さよりも低いため、発光ダイオード２の光の出射範囲に電子部品７が入りにくく、電子部品７が入射面４０への光の入射の妨げとなりにくい。
【００５９】
また、光源ユニット１では、電源用の端子８が、基板３の第二部分３１に実装されて、電子部品７から離れて位置する。そのため、光源ユニット１では、電源用の端子８を外部の電源装置（ソケット１８等）に対して電気的かつ機械的に接続する際に、電子部品７に応力がかかって、不具合が生じることを防ぐことができる。
【００６０】
また、光源ユニット１では、基板３の部分３０と保持部材６の平板部６０との間に隙間があるため、この隙間を通じて基板３の部分３０の放熱がしやすく、発光ダイオード２及び電子部品７の信頼性を確保しやすい。
【００６１】
（表示装置）
続いて、上述した光源ユニット１を備える表示装置１００の一例について説明する。
【００６２】
図４及び図５Ａ，Ｂに示すように、表示装置１００は、光源ユニット１と、導光板９と、表示パネル１０と、を備える。本実施形態では、表示装置１００は更に、光源ユニット１を収容する外ケース１１と、導光板９及び表示パネル１０を支持するパネルケース１２と、光源ユニット１を発光させるための各種の電気機器が収容される筐体１３と、を備える。各種の電気機器は、例えば、端子台１４と電源装置１５と制御装置１６である。表示装置１００は、例えば避難誘導用の誘導灯として用いられる。
【００６３】
導光板９は、矩形板状であり、前後方向に厚みを有する。導光板９は、上面が、光源ユニット１からの光が入射される入射面９０であり、前面が、導光板９の内部に入射された光が出射される出射面９１である。導光板９は、樹脂成型品であり、例えばアクリル樹脂で形成される。
【００６４】
導光板９の後面には、前面の全体から光が略均一に出射されるように、光を反射及び拡散させる拡散機能が付与されている。拡散機能は、後面自体に凹凸状の拡散パターンを形成することによって付与してもよいし、拡散機能を有する他の部材（パネルケース１２等）を後面に積層することで付与してもよい。
【００６５】
表示パネル１０は、樹脂成型品であり、例えばアクリル樹脂で形成される。表示パネル１０の前面には、人物を模したピクトグラムで構成された表示パターン１７が付されている。表示パターン１７は、印刷等の適宜手段によって、表示パネル１０の前面に形成される。
【００６６】
パネルケース１２は、重なった状態の導光板９及び表示パネル１０を支持するケースである。パネルケース１２は、例えば樹脂成型品である。パネルケース１２は、透光性を有さない。パネルケース１２は、上面及び前面が開口した、前後方向に厚みを有する矩形の箱型である。パネルケース１２の後面には、筐体１３への取り付けに用いられる取付部１２０が設けられている。
【００６７】
外ケース１１は、後面及び下面が開口した、左右方向に長尺な矩形の箱型である。外ケース１１は、例えば樹脂成型品である。外ケース１１は、透光性を有さない。外ケース１１の後面には、筐体１３への取り付けに用いられる取付部１１０が設けられている。外ケース１１には、光源ユニット１が着脱可能に収容される。
【００６８】
筐体１３は、前面が開口した、矩形の箱型である。筐体１３には、パネルケース１２の取付部１２０が取り付けられる被取付部１３０と、外ケース１１の取付部１１０が取り付けられる被取付部１３１とが設けられている。筐体１３に、パネルケース１２と外ケース１１が取り付けられることで、筐体１３の前面の開口の全体が塞がれる。
【００６９】
端子台１４は、外部電源に接続された電気配線が接続される装置である。電源装置１５は、光源ユニット１の発光ダイオード２に電力を供給する装置である。電源装置１５は、蓄電池を含む。電源装置１５は、端子台１４に電気的に接続されている。電源装置１５は、電気配線を介してソケット１８に電気的に接続されている。ソケット１８は、筐体１３内に左右一対に設けられている。光源ユニット１を収容した状態の外ケース１１を、筐体１３に取り付けることによって、光源ユニット１の基板３の第二部分３１が、ソケット１８に差し込まれる。これにより、基板３の電源用の端子８とソケット１８とが電気的に接続されて、発光ダイオード２に、所定の大きさの電力が供給される。
【００７０】
制御装置１６は、光源ユニット１の発光ダイオード２の点灯・消灯を制御するための装置である。制御装置１６は、回路基板と、その上に実装されて、制御回路を構成する回路部品とを有する。制御装置１６は、基板３の発光ダイオード２に対して電気的に接続される。
【００７１】
以上説明した表示装置１００では、光源ユニット１の出射面４１から出射された光が、導光板９の入射面９０に入射し、この光が導光板９の後面で反射して導光板９の出射面９１（前面）から出射されることで、表示パネル１０を発光させることができる。
【００７２】
表示装置１００では、電源装置１５から供給される所定の大きさの電力を、電子部品７によって調整することができ、光源ユニット１を所望の輝度で発光させることができて、表示パネル１０を所望の輝度で発光させることができる。これにより、表示装置１００では、誘導灯として必要な所定の輝度を確保しやすい。
【００７３】
また、表示装置１００では、発光ダイオード２の寿命により光源ユニット１を交換する際に、発光効率の向上した発光ダイオード２を備える新たな光源ユニット１を採用することもできる。この場合、電子部品７としては、以前の光源ユニット１と同様の輝度で発光ダイオード２が発光するように、発光ダイオード２に供給する電力を調整するものが用いられる。
【００７４】
（変形例）
以上説明した本実施形態の光源ユニット１及び表示装置１００の変形例について説明する。
【００７５】
光源ユニット１は、図６Ａ及び図６Ｂに示すように、基板３の部分３０の第二面３０１に接し、保持部材６によって保持される放熱板１９を更に備えてもよい。放熱板１９は、例えばアルミ板である。
【００７６】
放熱板１９は、基板３の部分３０と略同じ外形状を有する。放熱板１９は、保持部材６の一対の保持片６２が収まる一対の切欠き１９０を有する。放熱板１９は、ケース５の４つの保持片５４によって４隅が支持され、かつ基板３と保持部材６の平板部６０とで挟まれて保持される。
【００７７】
この変形例では、基板３に接する放熱板１９を備えることで、基板３の放熱を行いやすく、発光ダイオード２や電子部品７の信頼性を担保しやすい。
【００７８】
また、電子部品７の第一面３００からの高さは、発光ダイオード２の第一面３００からの高さと同じか、それよりも高くてもよい。この場合、電子部品７は、発光ダイオード２の光の出射範囲の外側に位置するように、発光ダイオード２から離れた位置に実装することが好ましい。
【００７９】
また、光源ユニット１は、第二面３０１に電子部品７が実装されてもよい。この場合も、電子部品７によって、発光ダイオード２に供給される電力を調整することができる。
【００８０】
また、光源ユニット１は、誘導灯の光源に限らず、避難誘導のための電灯（非常灯）の光源として用いてもよいし、各種の標識や広告を表示するための電灯の光源として用いてもよい。
【００８１】
また、光源ユニット１は、図２Ａに示す光源ユニット１の右半部または左半部のみで構成される構造であってもよい。
【００８２】
また、基板３には、発光ダイオード２に供給される電力を調整する電子部品７のみに限らず、過電流や突入電流から発光ダイオード２や電子部品７を保護する保護素子等のその他の電子部品が更に実装されてもよい。
【００８３】
（まとめ）
以上説明した一実施形態及びその変形例の光源ユニット１のように、第一態様の光源ユニット１は、下記の構成を備える。
【００８４】
すなわち、第一態様の光源ユニット１は、発光ダイオード２と、発光ダイオード２が実装された基板３と、棒状の導光部材４と、導光部材４を収容するケース５と、ケース５に取り付けられ、ケース５との間で基板３を挟み込んで保持する保持部材６と、を備える。導光部材４は、発光ダイオード２から出射した光が入射する入射面４０と、入射面４０に入射した光が出射する出射面４１とを有する。基板３は、ケース５と保持部材６によって覆われる部分３０を含む。部分３０には、発光ダイオード２に供給される電力を調整する電子部品７が実装されている。
【００８５】
上記構成を備えることで、第一態様の光源ユニット１では、基板３を外部の電気機器に電気的に接続して、発光ダイオード２に電力が供給される際に、発光ダイオード２に供給される電力を電子部品７によって調整することができる。そのため、第一態様の光源ユニット１では、発光ダイオード２の発光効率に合わせて発光ダイオード２に供給する電力を調整することができ、発光ダイオード２を所望の輝度で発光させることができる。これにより、第一態様の光源ユニット１は、例えば、誘導灯のような所定の輝度が必要とされる電気機器の光源として、有効に活用することができる。
【００８６】
また、一実施形態及びその変形例の光源ユニット１のように、第二態様の光源ユニット１は、第一態様の光源ユニット１の構成に加えて、下記の構成を付加的に備える。
【００８７】
すなわち、第二態様の光源ユニット１では、基板３は、ケース５と保持部材６によって覆われない第二部分３１を更に含む。第二部分３１には、電子部品７と発光ダイオード２に電気的に接続された電源用の端子８が実装されている。
【００８８】
上記の構成を備えることで、第二態様の光源ユニット１では、電源用の端子８から離れた部分に電子部品７を設けることができる。そのため、第二態様の光源ユニット１では、電源用の端子８を外部の電源装置に対して電気的かつ機械的に接続する際に、電子部品７に応力がかかって、不具合が生じることを防ぐことができる。
【００８９】
また、一実施形態及びその変形例の光源ユニット１のように、第三態様の光源ユニット１は、第一または第二態様の光源ユニット１の構成に加えて、下記の構成を付加的に備える。
【００９０】
すなわち、第三態様の光源ユニット１では、部分３０は、ケース５によって覆われる第一面３００と、第一面３００の反対側を向き、保持部材６によって覆われる第二面３０１と、を含む。第一面３００に、発光ダイオード２と電子部品７とが実装されている。
【００９１】
上記の構成を備えることで、第三態様の光源ユニット１では、発光ダイオード２を実装する面（第一面３００）とは反対側の面（第二面３０１）に電子部品７を実装する場合に比べて、製造しやすい。
【００９２】
また、一実施形態及びその変形例の光源ユニット１のように、第四態様の光源ユニット１は、第三態様の光源ユニット１の構成に加えて、下記の構成を付加的に備える。
【００９３】
すなわち、第四態様の光源ユニット１では、発光ダイオード２の第一面３００からの高さは、電子部品７の第一面３００からの高さよりも高い。
【００９４】
上記の構成を備えることで、第四態様の光源ユニット１では、発光ダイオード２の光の出射範囲に電子部品７が位置して、導光部材４の入射面４０への光の入射の妨げとなることを抑制することができる。
【００９５】
また、一実施形態の変形例の光源ユニット１のように、第五態様の光源ユニット１は、第三または第四態様の光源ユニット１の構成に加えて、下記の構成を付加的に備える。
【００９６】
すなわち、第五態様の光源ユニット１では、第二面３０１に接し、保持部材６に保持される放熱板１９を更に備える。
【００９７】
上記の構成を備えることで、第五態様の光源ユニット１では、基板３の熱を、放熱板１９を介して放熱することができ、発光ダイオード２及び電子部品７の信頼性を担保しやすい。
【００９８】
また、一実施形態及びその変形例の表示装置１００のように、第六態様の表示装置１００は、第一から第五態様のいずれかの光源ユニット１と、導光板９と、表示パネル１０と、を備える。導光板９は、光源ユニット１から出射した光が入射する入射面９０と、入射面９０に入射した光を出射する出射面９１とを有する。表示パネル１０は、透光性を有し、かつ導光板９の出射面９１に対向して位置する。
【００９９】
上記の構成を備えることで、第六態様の表示装置１００では、光源ユニット１の輝度が安定しやすく、表示パネル１０の表面の輝度を、所定の輝度としやすい。
【０１００】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１０１】
１      光源ユニット
２      発光ダイオード
３      基板
３０    部分
３１    第二部分
３００  第一面
３０１  第二面
４      導光部材
４０    入射面
４１    出射面
５      ケース
６      保持部材
７      電子部品
８      電源用の端子
９      導光板
９０    入射面
９１    出射面
１０    表示パネル
１９    放熱板
１００  表示装置
【図１】
2020035724.tif 000003
【図２】
2020035724.tif 000004
【図３】
2020035724.tif 000005
【図４】
2020035724.tif 000006
【図５】
2020035724.tif 000007
【図６】
2020035724.tif 000008